(57)【要約】      （修正有）【課題】バンド本体に強度を付与し、バンド本体の捲装方向へのストレートの支持状態を図ることができる結束用バンドを提供する。【解決手段】結束用バンドのバンド本体の捲装方向に設けた折曲げ線２は、捲装方向と直交する短手方向の真中に形成し、この折り曲げ線２を利用して、バンド本体の短手方向に折曲げる構成であり、バンド本体に均等な強度が維持されること、又はバンド本体の強度低下回避を無くすこと、又は折曲げ線から、バンド本体を折曲げた際に、捲装方向への強度が、本来の強度より向上し、かつこの捲装方向への撓み強度の向上が図れる。【選択図】図２
0003199126.tif 000002
【実用新案登録請求の範囲】
【請求項１】
樹脂製結束用バンドであって、
この結束用バンドのバンド本体の捲装方向に向かって形成した折曲げ線は、前記捲装方向と直交する短手方向の真中に形成し、この折曲げ線を利用して、当該バンド本体を、短手方向に折曲げる構成とした結束用バンド。
【請求項２】
前記折曲げ線は、バンド本体と同じ肉厚を確保し、当該バンド本体に均等な強度が維持される構成とした請求項１に記載の結束用バンド。
【請求項３】
前記折曲げ線は、バンド本体にエンボス加工した後に、機械加工して形成する構成とした請求項１に記載の結束用バンド。
【請求項４】
前記折曲げ線は、折曲げ後に、この折曲げ状態を維持できる構成とした請求項１に記載の結束用バンド。
【請求項５】
前記バンド本体の少なくとも一面に、エンボス加工する構成とした請求項１に記載の結束用バンド。
【考案の詳細な説明】
【技術分野】
【０００１】
本考案は、樹脂製の結束用バンドに関する。
【背景技術】
【０００２】
従来、結束用バンドに関する改良として、次に示した発明、考案（総称する場合は、従来構造とする）が開示されている。従来構造は、バンド本体の捲装方向（長手方向）に向かって、薄肉形状の凹溝を、バンド本体にフラットに設けた構成である。その目的は、この凹溝から折れ曲がりを容易とするとともに、折れ曲がりにより、結束物のコーナーへの食込み防止と、手への負担軽減と、痛み軽減等に寄与することである。一例を挙げると、特開２０１１−１４３９５１号公報の「梱包用バンド」と、実用新案登録第１８９８５５６号公報の「合成樹脂結束用バンド」がある。
【０００３】
従来構造は、目的達成に有効であるが、凹溝を、バンド本体にフラットに設ける構成であり、強度の低下が考えられることと、素材の性質上、亀裂発生の要因となること、等の問題点を抱えている。
【０００４】
【特許文献１】特開２０１１−１４３９５１号公報
【特許文献２】実用新案登録第１８９８５５６号公報
【考案の概要】
【考案が解決しようとする課題】
【０００５】
従来構造では、結束物のコーナーへの食込み防止と、手への負担軽減等の目的達成に有効である。しかしながら、凹溝を、バンド本体にフラットに設ける構成であり、強度の低下と、素材の性質上、亀裂発生の要因となること、等の問題点が考えられる。
【課題を解決するための手段】
【０００６】
上記に鑑み、本考案は、バンド本体の捲装方向に向かって形成した折曲げ線は、捲装方向と直交する短手方向の真中に形成し、及び折曲げ線は、バンド本体と同じ肉厚を確保した構造とし、バンド本体に均等な強度が維持されること、又はバンド本体の強度低下回避を無くすこと、又は折曲げ線から、バンド本体を折曲げた際に、捲装方向への強度が、本来の強度より向上し、かつこの捲装方向への撓み強度の向上が図れることを意図し、請求項１〜５を提供する。
【考案の効果】
【０００７】
請求項１の考案は、合成樹脂製の結束用バンドであって、
結束用バンドのバンド本体の捲装方向に向かって形成した折曲げ線は、捲装方向と直交する短手方向の真中に形成し、折曲げ線を利用して、バンド本体を、短手方向に折曲げる構成とした結束用バンドであり、バンド本体に均等な強度が維持されること、又はバンド本体の強度低下回避を無くすこと、又は折曲げ線から、バンド本体を折曲げた際に、捲装方向への強度が、本来の強度より向上し、かつこの捲装方向への撓み強度の向上が図れること（捲装方向へのストレートの支持状態を確保できること）、等の特徴がある。また、請求項１の考案では、例えば、パレットの空間を通す際に、補助器具を使用せずに、確実かつ迅速に挿入かつ貫通できる利点がある。
【０００８】
請求項２の考案は、折曲げ線は、バンド本体と同じ肉厚を確保し、バンド本体に均等な強度が維持される構成の結束用バンドであり、請求項１の目的達成と、この目的達成に最適な、折曲げ線の構造を提供できる利点がある。
【０００９】
請求項３の考案は、折曲げ線は、バンド本体にエンボス加工した後に、機械加工して形成する構成の結束用バンドであり、請求項１の目的達成と、この目的達成に最適な、折曲げ線の加工を定めた構造を提供できる利点がある。
【００１０】
請求項４の考案は、折曲げ線は、折曲げ後に、折曲げ状態を維持できる構成の結束用バンドであり、請求項１の目的達成と、この目的達成に最適な、折曲げ線の形状記憶と、この形状記憶を担持できる構造を提供できる利点がある。
【００１１】
請求項５の考案は、バンド本体の少なくとも一面に、エンボス加工する結束用バンドであり、請求項１の目的達成と、この目的達成に最適な、エンボス加工する順序を定めた構造を提供できる利点がある。
【図面の簡単な説明】
【００１２】
【図１】結束用バンドを捲装した状態の縮尺俯瞰図
【図２】結束用バンドのバンド本体を拡大して示した俯瞰図
【図３】結束用バンドのバンド本体を拡大して示した端面図
【図４】結束用バンドのバンド本体に折曲げ線を加工する第１例の加工機を示した縮尺模式図であり、（イ）は装置の一例を示している。全体の（ロ）は前段階を、（ハ）は加工中を、（ニ）は完成した時を、それぞれ示している。
【図５】結束用バンドのバンド本体に折曲げ線を加工する第２例の加工装置の要部（ローラ式の連続加工部）を示した縮尺模式図
【図６】結束用バンド（バンド本体）を、指等で、折曲げ線より折り曲げ状態で、バンド本体に強度が付与され（強度が向上し）、捲装方向において、直線状態が、長く確保されることを示す一部省略の模式図
【図７】パレットと荷物（物）とを、結束用バンドで緊締する（梱包、包装等して固定する）一例の縮尺模式図
【考案を実施するための形態】
【００１３】
以下、本考案の好ましい一実施例を、図１〜図７を基に説明する。
【００１４】
図中１は合成樹脂製の結束用バンドで、例えば、図７の如く、パレットＡと、パレットＡに載架した荷物Ｂとを、緊締する（梱包、包装等して荷崩れしないように固定する）ために使用される。
【００１５】
結束用バンド１は、バンド本体１００と、このバンド本体１００の両面、又は一面にメッシュ状のエンボス１０１をする。このエンボス１０１は、バンド本体１００の強度確保と、薄肉化を図るためである。
【００１６】
結束用バンド１（バンド本体１００）の捲装方向１ａ（長手方向）に向かって折曲げ線２が形成されている。折曲げ線２は、望ましくは、捲装方向１ａと直交する短手方向１ｂの真中に形成する。また、折曲げ線２は、単なる、線形状と、帯形状とが考えられる。折曲げの容易化、及び／又は、復帰の容易化とか、折曲げ形状の維持、又は復帰の迅速化等を考慮した場合には、線形状が最適である。尚、折曲げ線２は、バンド本体１００の肉厚３ａと、同じ肉厚３ｂを確保し、バンド本体に均等な強度が維持される構成の結束用バンド１であり、実用的、かつ有益である。そして、図示しないが、折曲げ線２は、連続構造、或いは間欠的に設ける構造等も考えられる。折曲げ線２は、一本、又は数本とする。
【００１７】
そして、この結束用バンド１を成形するには、図４と図５に示した加工方法と、加工機（加工装置）とが考えられる。図４は、プレス形の第１加工機Ｃであり、例えば、凹形の溝を備えた下型Ｃ１に対して、凸形の突部を備えた上型Ｃ２との組合せで、単独の規定長さとか、連続加工をする構造である。また、図５は、押出し形の第２加工機Ｄ（略示する）であり、例えば、凹形の溝を備えた下方の転輪ローラＤ１に対して、凸形の突部を備えた上方の転輪ローラＤ２との組合せで、原則として、連続加工をする構造である。多数本の結束用バンド１の製造に有利であり、コストの上昇も近差となり問題とならないと考えられる。本考案では、原則として、エンボス１０１加工した素材を、前記第１・第２加工機Ｃ・Ｄに供給する。そして、その加工方法と加工機は、前述の例に限定されない。
【００１８】
続いて、図６の如く、結束用バンド１（バンド本体１００）を、指等で、折曲げ線２より折り曲げ状態で、バンド本体１に強度が付与され、かつ端面視して略Ｖ形の形状が確保される（Ｖ形状が確定する）とともに、捲装方向１ａにおいて、真直ぐ、又は捲装状態に戻らない形態（例えば、直線状態と云う）が、例えば、１ｍ〜２ｍ程度確保される。この状態を利用して、パレットＡの下側の隙間Ａ１（パレットＡ・隙間Ａ１・隙間Ａ１がある位置等は、限定されない）に、バンド本体１００を差込んでいき、隙間Ａ１の反対側に貫通できる。従って、従来のように、手間と、この作業に誘導棒等の道具、及び／又は、取付け手段等を要さず、簡便かつ作業性が良い等の実益がある。殊に、バンド本体１が巻き終端において、優位性が期待できる。その後の結束作業は、従来と同様であり、かつ前記貫通後に、バンド本体１の曲りと、戻りの心配が少なく、前述の実用性が期待できる。また、道具の取外しと保守管理においても実用性が図れる。
【００１９】
以上の一実施例、及び図面において説明した構造と効果等は、本考案の好ましい例を示したものである。従って、図示、及び／又は、説明しない、他の実施例の説明、及び／又は、図面においても、本考案と同様な効果と特徴を有する考案とか発明は、当然、本考案の範疇である。
【符号の説明】
【００２０】
1  結束用バンド
１ａ  捲装方向（長手方向）
１b  短手方向
１００  バンド本体
１０１  エンボス
２  折曲げ線
３ａ  肉厚
３ｂ  肉厚
Ａ  パレット
Ａ１  隙間
Ｂ  荷物
Ｃ  第１加工機
Ｃ１  下型
Ｃ２  上型
Ｄ  第２加工機
Ｄ１  転輪ローラ
Ｄ２  転輪ローラ
【図１】
0003199126.tif 000003
【図２】
0003199126.tif 000004
【図３】
0003199126.tif 000005
【図４】
0003199126.tif 000006
【図５】
0003199126.tif 000007
【図６】
0003199126.tif 000008
【図７】
0003199126.tif 000009